(57)【要約】【課題】複数の棚板を高さの異なる位置に自在に取り付けて、棚板のバリエーションを拡張することができるキャットタワーを提供する。【解決手段】縦長略矩形枠状の左右の側面枠２と、縦長略矩形枠状の後面枠３と、両側面枠２の前端の上下両端位置の上下の前板４と、を有する本体１０を備える。本体１０の両側面枠２の短手方向両端を上下方向へ延びる一対の支柱２１と、各支柱２１の上下両端同士を連結する連結板２２とを備える。両側面枠２の各支柱２１を前後方向へ長い断面略矩形状に形成し、両側面枠２に、猫が乗り降り可能な３枚の棚板１１を備えた単一種棚板群１２を支持する。各棚板１１のうちの１枚の棚板１１を、両側面枠２の互いに対面する各支柱２１の内側面において上下方向に複数並設された溝１３のうちの中央の溝１３に対し左右両端をそれぞれ摺接させた状態で挿通している。【選択図】図１２
2019129754.tif 000002
【特許請求の範囲】
【請求項１】
左右両側にそれぞれ設けられた縦長略矩形枠状の左右一対の側面枠と、
この両側面枠の後端に取り付けられた縦長略矩形枠状の後面枠と、
前記両側面枠の前端の上下両端位置にそれぞれ取り付けられた上下一対の前板と、
を有する本体を備え、
前記本体の両側面枠及び後面枠は、当該各枠の短手方向両端を上下方向へ延びる一対の支柱と、前記各支柱の上下両端同士を連結する上下一対の連結板とを備え、
前記両側面枠の各支柱は、前後方向へ長い断面略矩形状に形成されているとともに、前記両側面枠には、猫が乗り降り可能な棚板及び猫が通過可能な孔部を有する孔部付き棚板のうちのいずれか一方のみを複数備えた単一種棚板群、又は前記棚板及び前記孔部付き棚板の双方を備えた複数種棚板群がそれぞれ支持されており、
前記単一種棚板群又は前記複数種棚板群の棚板は、前記両側面枠の互いに対面する各支柱の内側面において上下方向に複数並設された溝に対し左右両端がそれぞれ摺接した状態で挿通されていることを特徴とするキャットタワー。
【請求項２】
前記各側面枠の各支柱のうちの少なくとも前側の各支柱は、当該各支柱に挿通される前記各棚板の前後方向の長さに対しその長さの７〜２９％の前後方向の長さに設定されている請求項１に記載のキャットタワー。
【請求項３】
前記溝は、前記両側面枠及び前記後面枠の連結板並びに前記両前板の互いに対面する内側面にもそれぞれ凹設され、当該各溝に対し前記単一種棚板群又は前記複数種棚板群の棚板がその周縁を密接させた状態で挿通されている請求項１または請求項２に記載のキャットタワー。
【請求項４】
前記本体は、上下に連結可能に複数設けられ、
前記各本体の両側面枠及び後面枠並びに両前板により囲まれた上下の枠部分における上下両端面の四隅付近には、それぞれダボ穴が凹設されており、
前記各本体は、下側に位置する本体の上側の枠部分における上端面の各ダボ穴と、上側に位置する本体の下端の枠部分における下端面の各ダボ穴とにそれぞれダボが挿通されて上下に連結されている請求項１〜請求項３のいずれか１つに記載のキャットタワー。
【請求項５】
前記本体は、左右に連結可能に複数設けられ、
前記各本体の両側面枠の前後両支柱には、それぞれ左右方向へ貫通する貫通孔が設けられており、
前記各本体は、当該各本体の両側面枠の前後両支柱同士がその貫通孔に挿通されたボルト部材及びナット部材により締め付けられて左右に連結されている請求項１〜請求項３のいずれか１つに記載のキャットタワー。
【請求項６】
前記本体は、上下及び左右に連結可能に複数設けられ、
前記各本体の両側面枠及び後面枠並びに両前板により囲まれた上下両端の枠部分の上下両端面における四隅付近には、それぞれダボ穴が凹設されており、
前記各本体は、下側に位置する本体の上側の枠部分における上端面の各ダボ穴と、上側に位置する本体の下側の枠部分における下端面の各ダボ穴とにそれぞれダボが挿通されて上下に連結されているとともに、
前記各本体の各側面枠の前後両支柱には、それぞれ左右方向へ貫通する貫通孔が設けられており、
前記各本体は、当該各本体の各側面枠の前後両支柱同士がその貫通孔に挿通されたボルト部材及びナット部材により締め付けられて左右に連結されている請求項１〜請求項３のいずれか１つに記載のキャットタワー。
【発明の詳細な説明】
【技術分野】
【０００１】
本発明は、猫が上り下りする複数の棚板を備えたキャットタワーに関する。
【背景技術】
【０００２】
近年より、ペットとしての猫の普及率が急増し、家庭の屋内空間での猫の運動不足や本能に応える上で、猫が上り下りする複数の棚板を備えたキャットタワーは知られている（特許文献１参照）。
【０００３】
この場合、キャットタワーの各棚板は、上下方向に分割された支柱同士の間に挟まれて取り付けられている。
【先行技術文献】
【特許文献】
【０００４】
【特許文献１】特開２０１２−２４０６６号公報
【発明の概要】
【発明が解決しようとする課題】
【０００５】
ところが、前記従来のものでは、各棚板が上下方向に分割した支柱同士の間に挟まれて取り付けられているため、各棚板の位置が上下方向で予め決められて変更不能とされ、各棚板を高さの異なる位置に取り付けることができず、棚板のバリエーションを拡張することができない。
【０００６】
本発明は、かかる点に鑑みてなされたものであり、その目的とするところは、複数の棚板を高さの異なる位置に自在に取り付けて、棚板のバリエーションを拡張することができるキャットタワーを提供することにある。
【課題を解決するための手段】
【０００７】
前記目的を達成するため、本発明では、キャットタワーとして、左右両側にそれぞれ設けられた縦長略矩形枠状の左右一対の側面枠と、この両側面枠の後端に取り付けられた縦長略矩形枠状の後面枠と、前記両側面枠の前端の上下両端位置にそれぞれ取り付けられた上下一対の前板と、を有する本体を備える。そして、前記本体の両側面枠及び後面枠に、当該各枠の短手方向両端を上下方向へ延びる一対の支柱と、前記各支柱の上下両端同士を連結する上下一対の連結板とを備える。また、前記両側面枠の各支柱を、前後方向へ長い断面略矩形状に形成するとともに、前記両側面枠に、猫が乗り降り可能な棚板及び猫が通過可能な孔部を有する孔部付き棚板のうちのいずれか一方のみを備えた単一種棚板群、又は前記棚板及び前記孔部付き棚板の双方を備えた複数種棚板群をそれぞれ支持する。更に、前記単一種棚板群又は前記複数種棚板群の棚板を、前記両側面枠の互いに対面する各支柱の内側面において上下方向に複数並設された溝に対し左右両端をそれぞれ摺接させた状態で挿通することを特徴としている。
【０００８】
また、前記各側面枠の各支柱のうちの少なくとも前側の各支柱を、当該各支柱に挿通される前記各棚板の前後方向の長さに対しその長さの７〜２９％の前後方向の長さに設定することがこのましい。
【０００９】
前記溝を、前記両側面枠及び前記後面枠の連結板並びに前記両前板の互いに対面する内側面にもそれぞれ凹設し、当該各溝に対し前記単一種棚板群又は前記複数種棚板群の棚板がその周縁を密接させた状態で挿通していてもよい。
【００１０】
また、前記本体を上下に連結可能に複数設け、前記各本体の両側面枠及び後面枠並びに両前板により囲まれた上下の枠部分の上下両端面における四隅付近に、それぞれダボ穴を凹設している。そして、前記各本体を、下側に位置する本体の上側の枠部分における上端面の各ダボ穴と、上側に位置する本体の下側の枠部分における下端面の各ダボ穴とにそれぞれダボを挿通して上下に連結していてもよい。
【００１１】
これに対し、前記本体を左右に連結可能に複数設け、前記各本体の両側面枠の前後両支柱に、それぞれ左右方向へ貫通する貫通孔を設ける。そして、前記各本体を、当該各本体の両側面枠の前後両支柱同士をその貫通孔に挿通されたボルト部材及びナット部材により締め付けて左右に連結していてもよい。
【００１２】
更に、前記本体を上下及び左右に連結可能に複数設け、前記各本体の両側面枠及び後面枠並びに両前板により囲まれた上下両端の枠部分の上下両端面における四隅付近に、それぞれダボ穴を凹設する。そして、前記各本体を、下側に位置する本体の上側の枠部分における上端面の各ダボ穴と、上側に位置する本体の下端の枠部分における下端面の各ダボ穴とにそれぞれダボを挿通して上下に連結する。更に、前記各本体の各側面枠の前後両支柱に、それぞれ左右方向へ貫通する貫通孔を設け、前記各本体を、当該各本体の各側面枠の前後両支柱同士をその貫通孔に挿通されたボルト部材及びナット部材により締め付けて左右に連結していてもよい。
【発明の効果】
【００１３】
以上、要するに、縦長略矩形枠状の左右の両側面枠及び後面枠と上下の前板とで構成した本体の両側面枠における各支柱の内側面において上下方向に複数並設した溝に対し、猫が乗り降り可能な棚板及び猫が通過可能な孔部を有する孔部付き棚板のうちのいずれか一方のみを備えた単一種棚板群又は双方を組み合わせた複数種棚板群の棚板をその左右両端がそれぞれ摺接した状態で挿通することで、単一種棚板群又は複数種棚板群の棚板を猫が乗り降り可能な位置や猫が通過可能な位置となるように各支柱の内側面において上下方向に複数並設した溝の中から選んだ任意の高さの溝に対し左右両端を挿通させるだけで簡単に設置することが可能となり、複数の棚板を高さの異なる位置に自在に取り付けて棚板のバリエーションを拡張することができる。
【００１４】
しかも、両側面枠の各支柱が前後方向へ長い断面略矩形状に形成されているので、各支柱の内側面において前後方向へ長い溝が構成され、各支柱に対する各棚板の支持面積が確保されることになり、猫の乗り降り時や通過時の振動などによる各棚板の前後方向へのズレを抑制することができる上、各棚板が後側の支柱の溝から離脱した際の前側の支柱の溝のみによる各棚板の支持性能も確保することができる。
【００１５】
また、各側面枠の各支柱のうちの少なくとも前側の各支柱の前後方向の長さを、各棚板の前後方向の長さの７〜２９％に設定することで、前側の各支柱の内側面において前後方向へ十分に長い溝が構成され、前側の各支柱に対する各棚板の支持面積が十分に確保され、猫の乗り降り時や通過時の振動などによる各棚板の前後方向へのズレを効果的に抑制することができる上、各棚板が後側の支柱の溝から離脱した際の前側の支柱の溝のみによる各棚板の支持性能もより一層確保することができる。
【００１６】
両側面枠及び後面枠の上下の連結板並びに両前板の互いに対面する内側面にもそれぞれ溝を凹設し、当該溝に対し単一種棚板群又は複数種棚板群の棚板の周縁を密接した状態で挿通することで、本体の上端及び下端に設置される各棚板の周縁全てが溝で包囲され、猫の乗り降り時や通過時の振動などによる本体の上端及び下端の各棚板のズレを確実に防止することができる。
【００１７】
また、下側に位置する本体の上側の枠部分における上端面の四隅付近の各ダボ穴と、上側に位置する本体の下側の枠部分における下端面の四隅付近の各ダボ穴とにそれぞれダボを挿通して各本体を上下に連結することで、各本体の上下の各ダボ穴にそれぞれ挿通したダボによって複数の本体を上下に簡単に連結することができる。
【００１８】
これに対し、左右の各本体の両側面枠の前後両支柱同士を貫通する貫通孔に挿通したボルト部材及びナット部材の締め付けにより各本体を左右に連結することで、前後両支柱の貫通孔に挿通したボルト部材及びナット部材の締め付けによって複数の本体を左右に簡単に連結することができる。
【００１９】
更に、下側に位置する本体の上側の枠部分における上端面の各ダボ穴と、上側に位置する本体の下側の枠部分における下端面の各ダボ穴とにそれぞれダボを挿通して各本体を上下に連結するとともに、左右の各本体の両側面枠の前後両支柱同士を貫通する貫通孔に挿通したボルト部材及びナット部材の締め付けにより各本体を左右に連結することで、各本体の上下の各ダボ穴にそれぞれ挿通したダボによって複数の本体を上下に簡単に連結することができるとともに、前後両支柱の貫通孔に挿通したボルト部材及びナット部材の締め付けによって複数の本体を左右に簡単に連結することができる。
【図面の簡単な説明】
【００２０】
【図１】本発明の第１の実施の形態に係るキャットタワーを前方から見た正面図である。
【図２】図１のキャットタワーを斜め左前方から見た斜視図である。
【図３】図１のキャットタワーを上方から見た平面図である。
【図４】図３のキャットタワーから上側の枠部分を取り外した状態を示す平面図である。
【図５】図２のキャットタワーの左右両側面枠、後面枠の各支柱及び連結板、並びに両前板を全て分解した状態を示す分解斜視図である。
【図６】図５の各支柱及び連結板を全て分解した状態で内方側から見た側面枠の内側面図である。
【図７】図６の各支柱及び連結板を全て分解した状態で前方から見た側面枠の正面図である。
【図８】図６の各支柱及び連結板を組み付けた状態で外方側から見た側面枠の外側面図である。
【図９】図５の各支柱及び連結板を全て分解した状態で前方から見た後面枠の正面図である。
【図１０】図９の各支柱及び連結板を全て分解した状態で側方から見た後面枠の側面図である。
【図１１】（ａ）は図５の一方の前面板を内方側から見た背面図、（ｂ）は一方の前面板を右側方から見た右側面図である。
【図１２】図２のキャットタワーに単一種棚板群の各棚板を取り付けた状態を示す斜視図である。
【図１３】図１２の単一種棚板群の各棚板の平面図である。
【図１４】本実施の形態の変形例に係るキャットタワーに複数種棚板群の各棚板を取り付けた状態を示す斜視図である。
【図１５】図１４の複数種棚板群の孔部付き棚板の平面図である。
【図１６】本発明の第２の実施の形態に係るキャットタワーを斜め左前方から見た斜視図である。
【図１７】図１６のキャットタワーの２つの本体を左右に連結するボルト部材及びナット部材の分解斜視図である。
【図１８】本発明の第３の実施の形態に係るキャットタワーを斜め左前方から見た斜視図である。
【図１９】図１８のキャットタワーの２つの本体を上下に連結するダボの分解斜視図である。
【図２０】本発明の第４の実施の形態に係るキャットタワーを斜め左前方から見た斜視図である。
【発明を実施するための形態】
【００２１】
以下、本発明の実施の形態を添付した図面により詳細に説明する。
【００２２】
先ず、図１は本発明の第１の実施の形態に係るキャットタワーを前方から見た正面図、図２は図１のキャットタワーを斜め左前方から見た斜視図、図３は図１のキャットタワーを上方から見た平面図、図４は図３のキャットタワーから上側の枠部分を取り外した状態を示す平面図をそれぞれ示している。この図１〜図４において符号１で示すキャットタワーは、左右両側にそれぞれ設けられた左右一対の側面枠２，２と、この両側面枠２，２の後端に取り付けられた後面枠３と、両側面枠２，２の前端の上下両端位置にそれぞれ取り付けられた上下一対の前板４，４とを有する本体１０を備えている。そして、両側面枠２，２には、猫が乗り降り可能な棚板１１のみを３枚備えた単一種棚板群１２が支持されている。
【００２３】
図５は図２のキャットタワー１Ａの左右両側面枠２，２、後面枠３の各支柱及び連結板、並びに両前板４，４を全て分解した状態を示す分解斜視図、図６は図５の各支柱及び連結板を全て分解した状態で内方側から見た側面枠２の内側面図をそれぞれ示している。また、図７は図６の各支柱及び連結板を全て分解した状態で前方から見た側面枠２の正面図、図８は図６の各支柱及び連結板を組み付けた状態で外方側から見た側面枠２の外側面図をそれぞれ示している。
【００２４】
図５〜図８にも示すように、本体１０の両側面枠２，２は、当該両側面枠２，枠２の短手方向両端（前後方向両端）を上下方向へ延びる一対の支柱２１，２１と、各支柱２１の上下両端同士を連結する上下一対の連結板２２，２２とを備えている。各支柱２１の上下両端には、それぞれほぞ２３が突設されている一方、上下の連結板２２，２２同士が互いに向き合う上下両端面の前後両端位置には、それぞれほぞ穴２４，２４が凹設されている。そして、両側面枠２，２は、各支柱２１の上下両端のほぞ２３，２３が各連結板２２の前後両端のほぞ穴２４，２４に嵌挿されて、それぞれ上下方向に長い縦長略矩形枠状に形成されている。
【００２５】
図９は図５の各支柱及び連結板を全て分解した状態で前方から見た後面枠３の正面図、図１０は図９の各支柱及び連結板を全て分解した状態で側方から見た後面枠３の側面図をそれぞれ示している。
【００２６】
図９及び図１０にも示すように、本体１０の後面枠３は、当該後面枠３の短手方向両端（左右方向両端）を上下方向へ延びる一対の支柱３１，３１と、各支柱３１の上下両端同士を連結する上下一対の連結板３２，３２とを備えている。各支柱３１の上下両端には、それぞれほぞ３３，３３が突設されている一方、上下の連結板３２，３２同士が互いに向き合う上下両端面の左右両端位置には、それぞれほぞ穴３４，３４が凹設されている。そして、後面枠３は、各支柱３１の上下両端のほぞ３３，３３が各連結板２２の前後両端のほぞ穴３４，３４に嵌挿されて、上下方向に長い縦長略矩形枠状に形成されている。
【００２７】
図１１の（ａ）は図５の一方の前面板４を内方側から見た背面図、（ｂ）は一方の前面板４を右側方から見た右側面図をそれぞれ示している。図１１の（ａ）及び（ｂ）にも示すように、上下の前板４，４は、後面枠３の連結板３２とほぼ同一形状に形成されている。また、各側面枠２の上下の連結板２２，２２の後端及び前端には、それぞれザグリ加工されて左右方向へ貫通する上下一対の挿通孔２５，２５が設けられている。そして、両側面枠２，２と後面枠３とは、その各側面枠２の上側の連結板２２の後端の上端の挿通孔２５及び下側の連結板２２の後端の下端の挿通孔２５よりそれぞれ挿通されたネジ部材２６が後面枠３の連結板３２の左右両端にねじ込まれて強固に連結されている。また、両側面枠２，２と上下の前面板４，４とは、その各側面枠２の上下の連結板２２，２２の前端の上下の挿通孔２５，２５よりそれぞれ挿通されたネジ部材２６が前面板４の左右両端にねじ込まれて強固に連結されている。
【００２８】
また、両側面枠２，２の前後の支柱２１，２１は、前後方向へ長い断面略矩形状に形成されている。この各支柱２１の前後方向の長さは、各棚板１１の前後方向の長さが４１７ｍｍに設定されているのに対し５０ｍｍに設定され、各棚板１１の前後方向の長さに対しその長さの約１２％となっている。
【００２９】
図１２は図２のキャットタワー１Ａに単一種棚板群１２の各棚板１１を取り付けた状態を示す斜視図、図１３は図１２の単一種棚板群１２の棚板１１の平面図をそれぞれ示している。図１２にも示すように、両側面枠２，２の互いに対面する各支柱２１の内側面には、それぞれ略コの字状に凹む溝１３が上下方向に複数並設されている。各溝１３は、各支柱の上下方向略中間位置と、この位置から上下双方に３つずつ設けられている。上下双方の３つずつの各溝１３は、それぞれ等間隔に設けられている。一方、上下方向略中間位置の溝１３と、当該溝１３に対して上下双方に３つの各溝１３のうちの最も近接する溝１３との間隔は、上下双方の３つの各溝１３同士の間隔の２倍の間隔に設定されている。そして、各支柱２１の各溝１３は、各支柱２１の内側面においてそれぞれ左右で対をなし、そのうちの各支柱２１の上下方向略中間位置の溝１３に対し単一種棚板群１２のうちの一枚の棚板１１が左右両端部を摺接させた状態で挿通されている。
【００３０】
溝１３は、両側面枠２，２及び後面枠３の連結板２２，３２並びに両前板４，４の互いに対面する内側面にもそれぞれ凹設されている。この両側面枠２，２の上下の連結板２２，２２の互いに対面する内側面（左右両側面）、後面枠３の上下の連結板３２，３２の前面、及び各前板４の後面の溝１３に対し、単一種棚板群１２の残る２枚の各棚板１１がその周縁をそれぞれ密接させた状態で挿通されている。
【００３１】
更に、本体１０の両側面枠２，２及び後面枠３並びに両前板４，４により囲まれた上下の枠部分１４，１４の上下両端面における四隅付近、つまり両側面枠２，２の各連結材２２の前後両端には、後述するダボ１５の長さ方向略半分が挿通されるダボ穴１６，１６，…がそれぞれ凹設されている。また、本体１０の両側面枠２，２の前後両支柱２１，２１の上下両端には、後述するボルト部材１７及び袋ナット１８（ナット部材）が挿通される貫通孔１９，１９，…がそれぞれザグリ加工されて左右方向へ貫通して設けられている。
【００３２】
したがって、本実施の形態では、縦長略矩形枠状の左右の両側面枠２，２及び後面枠３と上下の前板４，４とで構成した本体１０の両側面枠２，２における各支柱２１の内側面において上下方向に複数並設した溝１３，１３，…に対し、猫が乗り降り可能な棚板１１のみを３枚備えた単一種棚板群１２のうちの１枚の棚板１１がその左右両端を摺接させた状態で挿通されているので、単一種棚板群１２の棚板１１を猫が乗り降り可能な位置となるように各支柱２１の内側面において上下方向に複数並設した溝１３，１３，…の中から選んだ任意の高さの溝１３つまり上下方向略中間位置の溝１３に対し左右両端を挿通させるだけで簡単に設置することが可能となり、棚板１１を高さの異なる位置に自在に取り付けて単一種棚板群１２の棚板１１のバリエーションを拡張することができる。
【００３３】
しかも、両側面枠２，２の各支柱２１が前後方向へ長い断面略矩形状に形成され、各支柱２１の前後方向の長さが各棚板１１の前後方向の長さに対しその長さの約１２％となっているので、各支柱２１の内側面において前後方向へ長い溝１３が構成され、各支柱２１に対する各棚板１１の支持面積が確保され、猫の乗り降り時の振動などによる棚板１１の前後方向へのズレを抑制することができる上、棚板１１が後側の支柱２１の溝１３から離脱した際の前側の支柱２１の溝１３のみによる棚板１１の支持性能も確保することができる。
【００３４】
両側面枠２，２及び後面枠３の上下の連結板２２，３２並びに両前板４，４の互いに対面する内側面にもそれぞれ溝１３が凹設され、当該溝１３に対し単一種棚板群１２の残る２枚の各棚板１１がその周縁を密接させた状態で挿通されているので、本体１０の上端及び下端に設置される各棚板１１の周縁全てが溝１３，１３，…で包囲され、猫の乗り降り時の振動などによる本体１０の上端及び下端の各棚板１１のズレを確実に防止することができる。
【００３５】
なお、本実施の形態では、両側面枠２，２に、猫が乗り降り可能な棚板１１のみを３枚備えた単一種棚板群１２の各棚板１１をそれぞれ支持したが、図１４及び図１５に示すように、キャットタワー１Ｂの両側面枠２，２に、猫が乗り降り可能な１枚の棚板１１及び猫が通過可能な孔部５１を有する３枚の孔部付き棚板５２の双方を組み合わせた複数種棚板群５３の各棚板１１，５２が支持されていてもよい。具体的には、キャットタワー１Ｂの両側面枠２，２の各支柱２１の各溝１３つまり猫が通過可能な位置となるように上下双方の３つの各溝１３のうちのそれぞれ真ん中の溝１３，１３に対し複数種棚板群５３のうちの２枚の孔部付き棚板５２，５２がそれぞれの左右両端を摺接させた状態で挿通されているとともに、キャットタワー１Ｂの下側の枠体部１４の各溝１３にもう一方の種類の棚板１１がその周縁を密接させた状態で挿通されている一方、キャットタワー１Ｂの上側の枠体部１４の各溝１３に孔部付き棚板５２がその周縁を密接させた状態で挿通されることになる。このとき、孔部５１は、孔部付き棚板５２の中心から四つの角部のうちの１つの角部寄りに偏心して設けられ、上下方向で互いに相隣なる孔部付き棚板５２の孔部５１の位置が上下方向で互いに一致しないように設置される。これにより、複数種棚板群５３の孔部付き棚板５２を猫が通過可能な位置となるように各支柱２１の内側面において上下方向に複数並設した溝１３，１３，…の中から選んだ任意の高さの溝１３つまり上下双方の３つの各溝１３のうちのそれぞれ真ん中の溝１３，１３に対し左右両端を挿通させるだけで簡単に設置することが可能となり、複数種棚板群５３の孔部付き棚板５２，５２を高さの異なる位置に自在に取り付けて各棚板１１，５２のバリエーションを拡張することができる。
【００３６】
しかも、両側面枠２，２及び後面枠３の上側の連結板２２，３２並びに上側の前板４の内側面の各溝１３に対し孔部付き棚板５２がその周縁を密接させた状態で挿通されているので、この孔部付き棚板５２の孔部５１を通過して当該棚板５２の上に猫が載ることも可能となり、キャットタワー１Ｂとして実施する上で非常に有利なものとなる。
【００３７】
次に、本発明の第２の実施の形態を図１６及び図１７に基づいて説明する。
【００３８】
この実施の形態では、２つの本体１０，１０を左右に連結している。なお、個々の本体の構成は、前記第１の実施の形態と同じであり、同一部分については同じ符号を付してその詳細な説明は省略する。図１６は本発明の第２の実施の形態に係るキャットタワーを斜め左前方から見た斜視図、図１７は図１６のキャットタワーの２つの本体を左右に連結するボルト部材及びナット部材の分解斜視図をそれぞれ示している。
【００３９】
すなわち、本実施の形態では、図１６及び図１７に示すように、キャットタワー１Ｃは２つの本体１０，１０を左右に連結可能に設けている。両側面枠２，２に対し猫が乗り降り可能な棚板１１のみを３枚備えた単一種棚板群１２が支持される一方の本体１０（図１６では右側）と、キャットタワー１Ｃの両側面枠２，２に対し猫が通過可能な孔部５１を有する３枚の孔部付き棚板５２及び猫が乗り降り可能な棚板１１を備えた複数種棚板群５３が支持される他方の本体１０（図１６では左側）と、を備えている。具体的には、前記第１の実施の形態に係るキャットタワー１Ｃの本体１０（図１２参照）が一方の本体１０とされている一方、前記第１の実施の形態の変形例に係るキャットタワー１Ｃの本体１０（図１４参照）が他方の本体１０とされている。
【００４０】
各本体１０は、当該各本体１０の両側面枠２，２の前後両支柱２１，２１同士をその上下両端の貫通孔１９，１９に挿通されたボルト部材１７及び袋ナット１８により締め付けられて左右に連結されている。
【００４１】
このように、左右の各本体１０の両側面枠２，２の前後両支柱２１，２１同士を上下両端で貫通する貫通孔１９，１９に挿通したボルト部材１７及び袋ナット１８の締め付けにより各本体１０が左右に連結されるので、前後両支柱２１，２１の上下両端の貫通孔１９，１９に挿通したボルト部材１７及び袋ナット１８の締め付けによって２つの本体１０，１０を左右に簡単に連結することができる。
【００４２】
次に、本発明の第３の実施の形態を図１８及び図１９に基づいて説明する。
【００４３】
この実施の形態では、２つの本体１０，１０を上下に連結している。なお、個々の本体の構成は、前記第１の実施の形態と同じであり、同一部分については同じ符号を付してその詳細な説明は省略する。図１８は本発明の第３の実施の形態に係るキャットタワーを斜め左前方から見た斜視図、図１９は図１８のキャットタワーの２つの本体を上下に連結するダボの分解斜視図をそれぞれ示している。
【００４４】
すなわち、本実施の形態では、図１８及び図１９に示すように、２つの本体１０，１０を上下に連結可能に設けている。キャットタワー１Ｄは、両側面枠２，２に対し猫が通過可能な孔部５１を有する孔部付き棚板５２を４枚備えた単一種棚板群５４を支持する一方の本体１０（図１８では上側）と、両側面枠２，２に対し猫が通過可能な孔部５１を有する孔部付き棚板５２及び猫が乗り降り可能な棚板１１を１枚ずつ備えた複数種棚板群５３を支持する他方の本体１０（図１８では下側）と、を備えている。
【００４５】
具体的には、一方の本体１０の両側面枠２，２の各支柱２１の上下双方の３つの各溝１３のうちのそれぞれ真ん中の溝１３，１３に対し単一種棚板群５４のうちの２枚の孔部付き棚板５２，５２がそれぞれの左右両端を摺接させた状態で挿通されているとともに、上下の枠体部１４，１４の各溝１３に単一種棚板群５４の残る２枚の孔部付き棚板５２，５２がそれぞれ周縁を密接させた状態で挿通されている。一方、他方の本体１０の両側面枠２，２の各支柱２１の上下方向真ん中の溝１３に対し複数種棚板群５３のうちの１枚の孔部付き棚板５２がその左右両端を摺接させた状態で挿通されているとともに、下側の枠体部１４の各溝１３に複数種棚板群５３の残る１枚の棚板１１がそれぞれ周縁を密接させた状態で挿通されている。このとき、一方及び他方の本体１０，１０の孔部付き棚板５２，５２，…は、上下方向で互いに相隣なる孔部付き棚板５２，５２，…の孔部５１の位置が上下方向で互いに一致しないように設置されている。また、他方の本体１０の上側の枠体部１４の各溝１３に対し複数種棚板群５３の各棚板１１，５２は挿通されておらず、他方の本体１０の上側の枠部分１４に棚板１１，５２が非設置となって上方へ開口している。
【００４６】
各本体１０は、当該各本体１０の上下の枠部分１４，１４同士を下側の本体１０の上側の枠部分１４の四隅付近のダボ穴１６，１６，…に下側略半分が挿通されたダボ１５に対し、上側の本体１０の下側の枠部分１４の四隅付近のダボ穴１６，１６，…を挿通させて上下に連結されている。
【００４７】
このように、下側に位置する本体１０の両側面枠２，２及び後面枠３の上側の各連結板２２，３２並びに上側の前板４により囲まれた上側の枠部分１４における上端面の四隅付近の各ダボ穴１６と、上側に位置する本体１０の両側面枠２，２及び後面枠３の下側の各連結板２２，３２並びに下側の前板４により囲まれた下側の枠部分１４における下端面の四隅付近の各ダボ穴１６とにそれぞれダボ１５を挿通して各本体１０が上下に連結されているので、各本体１０の上下の各ダボ穴１６にそれぞれ挿通したダボ１５によって２つの本体１０，１０を上下に簡単に連結することができる。
【００４８】
次に、本発明の第４の実施の形態を図２０に基づいて説明する。
【００４９】
この実施の形態では、３つの本体１０，１０，１０を上下左右に連結している。なお、個々の本体の構成は、前記第１の実施の形態と同じであり、同一部分については同じ符号を付してその詳細な説明は省略する。図２０は本発明の第４の実施の形態に係るキャットタワーを斜め左前方から見た斜視図を示している。
【００５０】
すなわち、本実施の形態では、図２０に示すように、キャットタワー１Ｅは３つの本体１０，１０，１０を上下左右に連結可能に設けている。キャットタワー１Ｅは、両側面枠２，２に対し猫が通過可能な孔部５１を有する４枚の孔部付き棚板５２を備えた単一種棚板群５４が支持される一方の本体１０（図２０では右上側）と、両側面枠２，２に対し猫が通過可能な孔部５１を有する１枚の孔部付き棚板５２及び猫が乗り降り可能な棚板１１を備えた複数種棚板群５３が支持される他方の本体１０（図２０では右下側）と、両側面枠２，２に対し猫が通過可能な孔部５１を有する３枚の孔部付き棚板５２及び猫が乗り降り可能な１枚の棚板１１を備えた複数種棚板群５３が支持される残るもう１つの本体１０（図２０では左下側）と、を備えている。具体的には、前記第３の実施の形態に係るキャットタワー１Ｄの一方の本体１０（図１８参照）がキャットタワー１Ｅの一方の本体１０とされている一方、前記第３の実施の形態に係るキャットタワー１Ｄの他方の本体１０（図１８参照）がキャットタワー１Ｅの他方の本体１０とされている。更に、前記第３の実施の形態に係るキャットタワー１Ｄの他方の本体１０（図１６参照）がキャットタワー１Ｅの残るその他の本体１０とされている。このとき、上下の本体１０，１０の各孔部付き棚板５２は、上下方向で互いに相隣なる孔部付き棚板５２の孔部５１の位置が上下方向で互いに一致しないように設置されている。
【００５１】
他方と残るその他の本体１０，１０（下側の左右の本体１０，１０）は、当該各本体１０の両側面枠２，２の前後両支柱２１，２１同士をその上下両端の貫通孔１９，１９に挿通されたボルト部材１７及び袋ナット１８により締め付けられて左右に連結されている。また、一方と他方の本体１０，１０（上下の本体１０，１０）とは、当該各本体１０の上下の枠部分１４，１４同士を下側の他方の本体１０の上側の枠部分１４の四隅付近のダボ穴１６，１６，…に下側略半分が挿通されたダボ１５に対し、上側の一方の本体１０の下側の枠部分１４の四隅付近のダボ穴１６，１６，…を挿通させて上下に連結されている。
【００５２】
このように、他方の本体１０と残るその他の本体１０の両側面枠２，２の前後両支柱２１，２１同士を上下両端で貫通する貫通孔１９，１９に挿通したボルト部材１７及び袋ナット１８の締め付けにより各本体１０が左右に連結されているとともに、下側に位置する他方の本体１０の上側の枠部分１４における上端面の四隅付近の各ダボ穴１６と、上側に位置する一方の本体１０の下側の枠部分１４における下端面の四隅付近の各ダボ穴１６とにそれぞれダボ１５を挿通して各本体１０が上下に連結されているので、各本体１０の上下の各ダボ穴１６にそれぞれ挿通したダボ１５によって２つの本体１０，１０を上下に簡単に連結することができるとともに、前後両支柱２１，２１の貫通孔１９，１９に挿通したボルト部材１７及び袋ナット１８の締め付けによって２つの本体１０，１０を左右に簡単に連結することができる。
【００５３】
なお、本発明は、前記各実施の形態に限定されるものではなく、その他種々の変形例を包含している、たとえば、前記第２の実施の形態では、２つの本体１０，１０を左右に連結したが、３つ以上の本体が左右に連結されていてもよい。更に、前記第３の実施の形態では、２つの本体１０，１０を上下に連結したが、３つ以上の本体が上下に連結されていてもよい。また、前記第４の実施の形態では、３つの本体のうちの２つの一方及び他方の本体１０，１０を左右に連結しかつ残る１つの本体１０を一方の本体１０とで上下に連結したが、４つ以上の本体が上下左右にどのように連結されていてもよいのはいうまでもない。
【００５４】
また、前記各実施の形態では、各支柱２１の前後方向の長さを各棚板１１の前後方向の長さに対しその長さの約１２％としたが、両側面枠の各支柱のうちの少なくとも前側の各支柱の前後方向の長さが、各棚板の前後方向の長さに対しその長さの７〜２９％の前後方向の長さに設定されていればよい。具体的には、各支柱の前後方向の長さが、各棚板の前後方向の長さが４１７ｍｍに設定されているのに対し３０ｍｍ〜１２０ｍｍに設定され、各棚板の前後方向の長さに対しその長さの約７〜２９％となっていればよい。
【００５５】
更に、前記第３及び第４実施の形態では、上下の各本体のうちの下側に位置する他方の本体の上側の枠部分１４に孔部付き棚板５２を非設置としたが、他方の本体の上側の枠部分にも孔部付き棚板が設置されていてもよい。その場合、上側に位置する一方の本体の下側の枠部分の孔部付き棚板と下側に位置する他方の本体の上側の枠部分の孔部付き棚板との間隔が狭く猫の方向転換ができないため、両孔部付き棚板にあっては上下方向に互いに相隣なってはいるものの、互いに孔部を一致させた孔部付き棚板を設置させる必要がある。更に、他方の本体の上側の枠部分にも孔部付き棚板が設置されていれば、本体の配置を変更する際に他方の本体の上側の枠部分に棚板を新たに設置する必要がなく、実施する上で非常に有利なものとなる。
【符号の説明】
【００５６】
１Ａ〜１Ｅ  キャットタワー
１０        本体、一方の本体、他方の本体、残るその他の本体
１１        棚板
１２        単一種棚板群
１３        溝
１４        枠部分
１５        ダボ
１６        ダボ穴
１７        ボルト部材
１８        袋ナット（ナット部材）
１９        貫通孔
２          側面枠
２１        支柱
２２        連結板
３          後面枠
３１        支柱
３２        連結板
４          前板
５１        孔部
５２        孔部付き棚板
５３        複合種棚板群
５４        単一種棚板群
【図１】
2019129754.tif 000003
【図２】
2019129754.tif 000004
【図３】
2019129754.tif 000005
【図４】
2019129754.tif 000006
【図５】
2019129754.tif 000007
【図６】
2019129754.tif 000008
【図７】
2019129754.tif 000009
【図８】
2019129754.tif 000010
【図９】
2019129754.tif 000011
【図１０】
2019129754.tif 000012
【図１１】
2019129754.tif 000013
【図１２】
2019129754.tif 000014
【図１３】
2019129754.tif 000015
【図１４】
2019129754.tif 000016
【図１５】
2019129754.tif 000017
【図１６】
2019129754.tif 000018
【図１７】
2019129754.tif 000019
【図１８】
2019129754.tif 000020
【図１９】
2019129754.tif 000021
【図２０】
2019129754.tif 000022